(57)【要約】【課題】使い勝手の良好なロールペーパーホルダーを提供する。【解決手段】ロールペーパーホルダー１は、中心軸Ｃを横にして収納したロールペーパーＰの上下及び前方を覆うカバー部１０を備えており、カバー部１０は、ロールペーパーＰを引き出す引出し口１０Ｇ、及びロールペーパーＰの下方に開口する第１開口部１０Ｊが設けられている。【選択図】図１
2018038573.tif 000002
【特許請求の範囲】
【請求項１】
中心軸を横にして収納したロールペーパーの上下及び前方を覆うカバー部を備えており、
前記カバー部は、前記ロールペーパーを引き出す引出し口、及び前記ロールペーパーの下方に開口する第１開口部が設けられていることを特徴とするロールペーパーホルダー。
【請求項２】
前記第１開口部は、上方から見た平面視において、前後方向の中央部が、収納された前記ロールペーパーの中心軸より前側に位置することを特徴とする請求項１記載のロールペーパーホルダー。
【請求項３】
前記第１開口部は、左右方向の幅が、前記ロールペーパーの中心軸方向の幅より小さいことを特徴とする請求項１又は２に記載のロールペーパーホルダー。
【請求項４】
前記第１開口部の前後に設けられ、前記第１開口部に向けて下り傾斜する傾斜面を有し、前記ロールペーパーを載置する台座を備えていることを特徴とする請求項１乃至３のいずれか１項に記載のロールペーパーホルダー。
【請求項５】
前記引出し口の少なくとも左端又は右端のいずれかに連続して、前記引出し口から離れる方向に伸び、上下方向の幅が前記引出し口より小さい第２開口部を備え、中心軸を横にした複数の前記ロールペーパーを中心軸方向に直列に収納することを特徴とする請求項１乃至４のいずれか１項に記載のロールペーパーホルダー。
【発明の詳細な説明】
【技術分野】
【０００１】
本発明はロールペーパーホルダーに関するものである。
【背景技術】
【０００２】
特許文献１に開示されたロールペーパーホルダーは、複数のロールペーパーを１列に並べて収納することができる。これにより、ロールペーパーホルダーはロールペーパーの補充の手間を抑えることができる。また、このロールペーパーホルダーは側面の前端から後側に向け開口部が形成されている。この開口部はロールペーパーの芯が露出するように形成されている。このロールペーパーホルダーは新しいロールペーパーを使う場合、ロールペーパーの糊付けされた端部を引出し口に合わせる際に、使用者がロールペーパーの外周面と芯の内周面とを指で挟んでロールペーパーの中心軸を中心に回転させることができる。
【先行技術文献】
【特許文献】
【０００３】
【特許文献１】特許第５８６７８９８号公報
【発明の概要】
【発明が解決しようとする課題】
【０００４】
しかし、このロールペーパーホルダーはロールペーパーの盗難を抑えるために、開口部の上下方向の寸法が、ロールペーパーの芯の外径より僅かに大きい。これにより、このロールペーパーホルダーはロールペーパーの糊付けされた端部を引出し口に合わせる際に、使用者がロールペーパーの外周面と芯の内周面とを指で挟んで回転させる場合、１度にロールペーパーを回転させることができる角度が小さい。このため、このロールペーパーホルダーは新しいロールペーパーを使う場合、ロールペーパーの糊付けされた端部を引出し口に合わせることに手間がかかる。
【０００５】
本発明は、上記従来の実情に鑑みてなされたものであって、使い勝手の良好なロールペーパーホルダーを提供することを解決すべき課題としている。
【課題を解決するための手段】
【０００６】
本発明のロールペーパーホルダーは、
中心軸を横にして収納したロールペーパーの上下及び前方を覆うカバー部を備えており、
前記カバー部は、前記ロールペーパーを引き出す引出し口、及び前記ロールペーパーの下方に開口する第１開口部が設けられていることを特徴とする。
【０００７】
本発明のロールペーパーホルダーは、カバー部のロールペーパーの下方に第１開口部が設けられている。これにより、このロールペーパーホルダーは使用者がロールペーパーの糊付けされた端部を引出し口に合わせる際に、第１開口部からロールペーパーの外周面に指を当接させて、ロールペーパーを持ち上げつつ回転させることができる。このため、このロールペーパーホルダーは使用者が新しいロールペーパーを使う場合にロールペーパーの外周面と芯の内周面とを指で挟んで回転させる場合に比べて、ロールペーパーを容易に回転させて、糊付けされた端部を引出し口に合わせることができる。
【０００８】
したがって、本発明のロールペーパーホルダーは使い勝手が良好である。
【図面の簡単な説明】
【０００９】
【図１】実施例１のロールペーパーホルダーの正面図である。
【図２】実施例１のロールペーパーホルダーにロールペーパーを収納した状態を示す透視図である。
【図３】実施例１のロールペーパーホルダーの斜視図である。
【図４】実施例１のロールペーパーホルダーの台座、及びストッパーを拡大して示す平面図である。
【図５】図１における矢視Ｘ−Ｘ部の断面図であって、外径が大きなロールペーパーが台座に載置された状態を示す。
【図６】図１における矢視Ｘ−Ｘ部の断面図であって、外径が小さなロールペーパーが台座に載置された状態を示す。
【発明を実施するための形態】
【００１０】
本発明における好ましい実施の形態を説明する。
【００１１】
本発明のロールペーパーホルダーの第１開口部は、上方から見た平面視において、前後方向の中央部が、収納されたロールペーパーの中心軸より前側に位置し得る。この場合、このロールペーパーホルダーは収納されたロールペーパーの外周面に指を当ててロールペーパーを回転させる際、使用者側に指を近づけつつ、ロールペーパーを上方向に押し上げて回転させることができる。このため、このロールペーパーホルダーは使用者がロールペーパーを容易に回転させることができる。
【００１２】
本発明のロールペーパーホルダーの第１開口部は、左右方向の幅が、ロールペーパーの中心軸方向の幅より小さくし得る。この場合、このロールペーパーホルダーは第１開口部からロールペーパーが引き出されることを抑えることができる。
【００１３】
本発明のロールペーパーホルダーは、第１開口部の前後に設けられ、第１開口部に向けて下り傾斜する傾斜面を有し、ロールペーパーを載置する台座を備え得る。この場合、このロールペーパーホルダーはロールペーパーを台座に載置することによって、ロールペーパーホルダー内でのロールペーパーの位置を所定の位置に案内することができる。これにより、このロールペーパーホルダーは収納されたロールペーパーの外周面に指を当ててロールペーパーを回転させる際、ロールペーパーがロールペーパーホルダー内で無作為な位置にずれることを抑えることができるため、使い勝手が良好である。
【００１４】
本発明のロールペーパーホルダーは、引出し口の少なくとも左端又は右端のいずれかに連続して、引出し口から離れる方向に伸び、上下方向の幅が引出し口より小さい第２開口部を備え、中心軸を横にした複数のロールペーパーを中心軸方向に直列に収納し得る。この場合、このロールペーパーホルダーは新しいロールペーパーを使用する際に、第２開口部から指を差し込み、第２開口部に位置する新しいロールペーパーに指をかけて新しいロールペーパーを引出し口に向けて容易に移動させることができる。また、このロールペーパーホルダーは第２開口部から中の様子を目視することができるため、新しいロールペーパーがロールペーパーホルダー内にあるかどうかを容易に把握することができる。また、このロールペーパーホルダーは第２開口部の上下方向の幅が引出し口より小さいため、引出し口からロールペーパーの端部を引き出すことを使用者に直感的に認識させることができる。
【００１５】
次に、本発明のロールペーパーホルダーを具体化した実施例１について、図面を参照しつつ説明する。
【００１６】
＜実施例１＞
実施例１のロールペーパーホルダー１は、図１に示すように、カバー部１０、右壁部１１、左壁部１２、台座１３、カッター１４、及びストッパー１５を備えている。カバー部１０は、上壁１０Ａ、前壁１０Ｂ、下壁１０Ｃ、後壁１０Ｄを有し、筒状をなして左右方向（左右は図１における左側右側である。以下同じ。）に伸びている。カバー部１０はステンレス製である。カバー部１０は前壁１０Ｂ及び下壁１０Ｃとの間に弧状に形成された第１弧状壁１０Ｅが形成されている（図３参照。）。また、カバー部１０は上壁１０Ａ及び前壁１０Ｂとの間に弧状に形成された第２弧状壁１０Ｆが形成されている（図３参照。）。また、カバー部１０は、引出し口１０Ｇ、第２開口部１０Ｈ、第１開口部１０Ｊ、第３開口部１０Ｋ、及び錠前１０Ｌが設けられている。
【００１７】
引出し口１０Ｇはカバー部１０の前壁１０Ｂ及び第１弧状壁１０Ｅの右端部に開口して設けられており、上下方向（上下は図１における上側下側である。以下同じ。）に幅を有し、左右方向に伸びている。第２開口部１０Ｈはカバー部１０の前壁１０Ｂに開口して設けられており、上下方向に幅を有し、引出し口１０Ｇの左側から左方に向けて伸びている。第２開口部１０Ｈは上下方向の寸法が引出し口１０Ｇの上下方向の寸法より小さい。第２開口部１０Ｈは上端が引出し口１０Ｇの上端と一直線状に連続しており、下端が傾斜部１０Ｍを介して引出し口１０Ｇの下端に連続している。また第２開口部１０Ｈは左端部がカバー部１０の左端近傍に位置しており、上端と下端との間に左方向に湾曲した半円部１０Ｎが形成されている。つまり、第２開口部１０Ｈは引出し口１０Ｇの左端に連続して、引出し口１０Ｇから離れる方向に伸び、上下方向の幅が引出し口１０Ｇより小さい。これにより、このロールペーパーホルダー１は引出し口からロールペーパーの端部を引き出すことを使用者に直感的に認識させることができる。
【００１８】
第１開口部１０Ｊはカバー部１０の下壁１０Ｃ及び第１弧状壁１０Ｅの右端部に開口して設けられており、左右方向に幅を有し、前後方向（前後は図１における手前側奥側である。以下同じ。）に伸びている。第１開口部１０Ｊは、左右方向の寸法が引出し口１０Ｇの左右方向の寸法より小さく、左右方向の位置が引出し口１０Ｇの左右中央部に位置している。また第１開口部１０Ｊは前端に上方向に伸びる立上がり部１０Ｐが設けられている（図３参照。）。立上がり部１０Ｐは、基端が第１開口部１０Ｊの前端に連結しており、後面の基端が第１弧状壁１０Ｅの外周面と滑らかに連続している。具体的には、立上がり部１０Ｐは第１弧状壁１０Ｅ及び下壁１０Ｃを上方向に折り曲げて形成している。これにより、立上がり部１０Ｐの後面の基端は、第１弧状壁１０Ｅの外周面と滑らかに連続して第１開口部１０Ｊの前端を形成している。
【００１９】
第３開口部１０Ｋはカバー部１０の後壁１０Ｄに設けられており、上下方向に幅を有し、左右方向に伸びている。第３開口部１０Ｋは、左右方向の寸法が引出し口１０Ｇ及び第２開口部１０Ｈの左右方向の幅より小さく、上下方向の寸法が引出し口１０Ｇ及び第２開口部１０Ｈの上下方向の幅より大きい。また、カバー部１０は後壁１０Ｄの第３開口部１０Ｋの左右両側のそれぞれに隣り合い板厚方向に貫通してネジ挿通孔１０Ｕが設けられている。
【００２０】
錠前１０Ｌは、図１、３に示すように、カバー部１０の前壁１０Ｂの左端部の上側に設けられている。錠前１０Ｌは金属製である。錠前１０Ｌは、錠前本体１０Ｑ、及び止め金１０Ｒを具備している。錠前本体１０Ｑはほぼ円柱状をなして前後方向に延びて、前壁１０Ｂに貫通して設けられている。止め金１０Ｒは平板状をなして、左右方向に伸びており、右端部が錠前本体１０Ｑの後端部に連結している。また、止め金１０Ｒは左端部の下側に上方向に窪んで形成された溝１０Ｓが設けられている。錠前１０Ｌは錠前本体１０Ｑの円柱状の前端面に挿入口１０Ｖが設けられている。錠前１０Ｌは錠前本体１０Ｑの挿入口１０Ｖに鍵（図示せず）を差し込み、鍵を錠前本体１０Ｑの円柱状の中心軸を中心にして一方向又は他方向に回動させることによって、止め金１０Ｒの左端部を錠前本体１０Ｑの円柱状の中心軸を中心にして一方向又は他方向に回動させることができる。
【００２１】
右壁部１１は平板状をなしている。右壁部１１はステンレス製である。右壁部１１は外周が、カバー部１０の上壁１０Ａ、第２弧状壁１０Ｆ、前壁１０Ｂ、第１弧状壁１０Ｅ、下壁１０Ｃ、及び後壁１０Ｄの右端に連続して連結しておりカバー部１０の右端を閉鎖している。
【００２２】
左壁部１２は、図３に示すように、平板状をなしている。左壁部１２はステンレス製である。左壁部１２は外形が上辺１２Ａ、前辺１２Ｂ、下辺１２Ｃ、及び後辺１２Ｄを具備している。左壁部１２は後辺１２Ｄが蝶番１６を介してカバー部１０の後壁１０Ｄの左端部に連結している。これにより、左壁部１２は筒状のカバー部１０の左端を開放した開放状態にしたり、閉鎖した閉鎖状態にしたりすることができる。左壁部１２は前辺１２Ｂと下辺１２Ｃとの間が、カバー部１０の第１弧状壁１０Ｅの後面に沿って弧状に形成された弧状辺１２Ｅが設けられている。左壁部１２は、前辺１２Ｂ、弧状辺１２Ｅ、下辺１２Ｃ、後辺１２Ｄのそれぞれが、カバー部１０の前壁１０Ｂの後面、第１弧状壁１０Ｅの後面、下壁１０Ｃの上面、及び後壁１０Ｄの前面に隙間を設けて配置されている。また、左壁部１２は、上辺１２Ａがカバー部１０の上壁１０Ａとの間に所定の寸法を設けて配置されている。これにより、左壁部１２の上辺１２Ａに指をかけて、左壁部１２を閉鎖状態から開放状態に容易にすることができる。
【００２３】
また、左壁部１２は第１折返し部１２Ｆ、第２折返し部１２Ｇを具備している。第１折返し部１２Ｆは第１連結部１２Ｈ、及び係止部１２Ｊを具備している。左壁部１２がカバー部１０の左端を閉鎖する閉鎖状態において、第１連結部１２Ｈは上下方向に幅を有し、基端部が左壁部１２の前辺１２Ｂの上端部から右方向に伸びている。また、第１連結部１２Ｈは前面がカバー部１０の前壁１０Ｂの後面に対してほぼ平行をなして、カバー部１０の前壁１０Ｂの後面との間に隙間を有している。係止部１２Ｊは上下方向に幅を有し、第１連結部１２Ｈの右端から後方向に伸びている。係止部１２Ｊは左壁部１２に対してほぼ平行である。左壁部１２がカバー部１０の左端を閉鎖する閉鎖状態において、錠前１０Ｌの挿入口１０Ｖに差し込んだ鍵を錠前本体１０Ｑの円柱状の中心軸を中心に一方向に回動させることによって、第１折返し部１２Ｆの係止部１２Ｊにカバー部１０の錠前１０Ｌの止め金１０Ｒの溝１０Ｓを係止した係止状態にすることができる（図１、２参照。）。また左壁部１２がカバー部１０の左端を閉鎖する閉鎖状態において、錠前１０Ｌの挿入口１０Ｖに差し込んだ鍵を錠前本体１０Ｑの円柱状の中心軸を中心に他方向に回動させることによって、係止部１２Ｊにカバー部１０の錠前１０Ｌの止め金１０Ｒの溝１０Ｓが係止した係止状態から係止を解除した解除状態にすることができる。つまり、錠前１０Ｌの止め金１０Ｒの溝１０Ｓを第１折返し部１２Ｆの係止部１２Ｊに係止することによって、閉鎖状態の左壁部１２が不用意に開放状態にされることを防止することができる。
【００２４】
第２折返し部１２Ｇは第２連結部１２Ｋ、及び押込み部１２Ｌを具備している。左壁部１２がカバー部１０の左端を閉鎖する閉鎖状態において、第２連結部１２Ｋは基端部が左壁部１２の下辺１２Ｃの前部から右方向に伸びている。第２連結部１２Ｋは下面がカバー部１０の下壁１０Ｃの上面に対してほぼ平行をなして、カバー部１０の下壁１０Ｃの上面との間に隙間を有している。押込み部１２Ｌは第２連結部１２Ｋの右端から上方向に伸びている。押込み部１２Ｌは左壁部１２に対してほぼ平行である。
【００２５】
台座１３は、図３〜６に示すように、第１台座部１３Ａ、中間部１３Ｂ、第２台座部１３Ｃ、案内部１３Ｄを具備している。台座１３はステンレス製である。第１台座部１３Ａは板状をなしており、前端がカバー部１０の引出し口１０Ｇの下端に連結している。第１台座部１３Ａは左右方向の寸法がカバー部１０の引出し口１０Ｇの左右方向の寸法より僅かに小さい（図１、３参照。）。第１台座部１３Ａは前端から後端にわたり上方向に湾曲して形成されている（図３、５、６参照。）。中間部１３Ｂは、平板状をなして第１台座部１３Ａの後端から後方向に伸びて形成されており、下面がカバー部１０の下壁１０Ｃの上面に当接して連結している。
【００２６】
第２台座部１３Ｃは板状をなしており、後端から立ち上がり形成された後端壁１３Ｍの後面がカバー部１０の後壁１０Ｄの前面であって、第３開口部１０Ｋの下側に当接して連結している（図３参照。）。第２台座部１３Ｃは左右方向の寸法が第１台座部１３Ａの左右方向の寸法と同じである。第２台座部１３Ｃは後端から前端にわたり上方向に湾曲して形成されている（図３、５、６参照。）。第２台座部１３Ｃは前端が中間部１３Ｂの後端に連結している。
【００２７】
案内部１３Ｄは、図２〜４に示すように、基部１３Ｅ及び案内部本体１３Ｆを具備している。案内部１３Ｄはステンレス製である。基部１３Ｅは平板状をなして前後方向に幅を有し左右方向に伸びており、下面が中間部１３Ｂの右端部の上面に当接して連結している。案内部本体１３Ｆは平板状をなして前後方向に幅を有し基部１３Ｅの右端から上方向に伸びている。案内部本体１３Ｆは左面がカバー部１０の引出し口１０Ｇの右端より僅かに左方に位置している。これにより、ロールペーパーＰの右端面が案内部１３Ｄの案内部本体１３Ｆに当接することによってロールペーパーＰの位置が引出し口１０Ｇに対して右側にずれることを防止することができる（図４参照。）。
【００２８】
台座１３は第１台座部１３Ａ及び中間部１３Ｂの左右方向の中央部に開口した第４開口部１３Ｇが形成されている。第４開口部１３Ｇは左右方向の寸法が第１開口部１０Ｊの左右方向の寸法とほぼ同じである。また、第４開口部１３Ｇは後側に第２台座部１３Ｃの前端に沿って直線状をなした直線部１３Ｈが形成されている。直線部１３Ｈは前後方向の位置が第１開口部１０Ｊの後端の位置とほぼ同じである。また、第４開口部１３Ｇは直線部１３Ｈの左右両側のそれぞれから前方向に伸びる一対の側辺部１３Ｊが形成されている。これら側辺部１３Ｊはそれぞれの左右方向の位置が第１開口部１０Ｊの左端及び右端の左右方向の位置とほぼ同じである。第４開口部１３Ｇは前側であって、これら側辺部１３Ｊの間に第１台座部１３Ａの前端に向けて湾曲した半円部１３Ｋが形成されている。また、台座１３は第１台座部１３Ａの下面であって、第４開口部１３Ｇの半円部１３Ｋの前端近傍に第１開口部１０Ｊの立上がり部１０Ｐの先端が当接している（図５、６参照。）。
【００２９】
カッター１４は、図３〜６に示すように、台座１３の第１台座部１３Ａの前端部の上面に設けられたカッター固定部材１３Ｌと第１台座部１３Ａとに挟まれ第１台座部１３Ａに連結されている。カッター１４は合成樹脂製である。カッター１４は板状をなしており、前後方向に幅を有し左右方向に伸びている。カッター１４は左右方向の寸法が第１台座部１３Ａの左右方向の寸法より僅かに小さい。カッター１４は複数の突起部１４Ａを具備している。これら突起部１４Ａは、左右方向に伸びるカッター１４の前端から前方向に突出して設けられ、互いに左右方向に一列に並んでいる。カッター１４は台座１３の第１台座部１３Ａに着脱自在である。
【００３０】
ストッパー１５は、図１〜４に示すように、傾斜部１５Ａ及び垂下部１５Ｂを具備している。ストッパー１５はステンレス製である。傾斜部１５Ａは平板状をなしており、前後方向に幅を有し左右方向に伸びている。傾斜部１５Ａは左端部がカバー部１０の下壁１０Ｃに設けられた長孔１０Ｔに挿通している。また、傾斜部１５Ａは左端から左方向に伸びる水平部１５Ｃの上面がカバー部１０の下壁１０Ｃの下面に当接して連結している。傾斜部１５Ａは左端より右端が上側に位置して傾斜している。垂下部１５Ｂは平板状をなして上端が、傾斜部１５Ａの右端に連結して垂下している。また、垂下部１５Ｂは下端がカバー部１０の下壁１０Ｃの上面に当接している。垂下部１５Ｂは右面が台座１３の第１台座部１３Ａ、中間部１３Ｂ、及び第２台座部１３Ｃのそれぞれの左端に当接している。
【００３１】
このロールペーパーホルダー１は、図５、６に示すように、壁面Ｗに設置することができる。具体的には、ネジ３０で壁面Ｗに予めネジ止めされたバックハンガー１７と壁面Ｗとの間に形成された隙間１７Ａにカバー部１０の第３開口部１０Ｋの上側の後壁１０Ｄを差し込み、カバー部１０の上壁１０Ａの下面をバックハンガー１７に設けられた支持部１７Ｂの上面に当接する。バックハンガー１７はステンレス製である。そして、カバー部１０のネジ挿通孔１０Ｕのそれぞれにネジ３１を挿通し、壁面Ｗにネジ３１をねじ込む。こうして、このロールペーパーホルダー１を壁面Ｗに設置する。
【００３２】
次に、このロールペーパーホルダー１にロールペーパーＰを収納する手順を説明する。先ず、錠前１０Ｌに鍵を差込んで、鍵を錠前本体１０Ｑの円柱状の中心軸を中心に他方向に回動する。すると、錠前１０Ｌの止め金１０Ｒの溝１０Ｓがカバー部１０の左壁部１２の第１折返し部１２Ｆの係止部１２Ｊから外れる。そして、左壁部１２の上辺１２Ａに指をかけて蝶番１６の軸を中心に左壁部１２を回動させて、カバー部１０の左端を開放する開放状態にする。
【００３３】
次に、ロールペーパーホルダー１にロールペーパーＰを収納する。このとき、ロールペーパーＰは下側から端部が引き出される向きにして中心軸を左右方向にし、ロールペーパーホルダー１に収納する。そして、ロールペーパーＰを複数個収納すると、最初に収納したロールペーパーＰの右端がストッパー１５の傾斜部１５Ａに到達する。そして、４つ目のロールペーパーＰを収納すると、最初に収納したロールペーパーＰがストッパー１５の傾斜部１５Ａを乗り越えて、ストッパー１５の垂下部１５Ｂの右側に移動する。このとき、最初に収納したロールペーパーＰは右端部が案内部１３Ｄの案内部本体１３Ｆの左面に当接する（図２、４参照。）。これにより、最初に収納したロールペーパーＰは引出し口１０Ｇに対して右側にずれることなく台座１３に載置することができる。また、最初に収納したロールペーパーＰはストッパー１５の垂下部１５Ｂによって、引出し口１０Ｇに対して左側にずれることもない。このとき、第１開口部１０Ｊは前後方向の中心部がロールペーパーＰの中心軸Ｃより前側に位置している（図４参照。）。
【００３４】
そして、ロールペーパーホルダー１に４つ目のロールペーパーＰを収納した後、蝶番１６の軸を中心に左壁部１２を回動させて、カバー部１０の左端を閉鎖する閉鎖状態にする。このとき、左壁部１２の第２折返し部１２Ｇの押込み部１２Ｌが４つ目のロールペーパーＰの左端面に当接しつつ、収納されたロールペーパーＰを右方向に押込む。これにより、４つ目のロールペーパーＰの左端面が第２開口部１０Ｈの左端より右側に配置される（図２参照。）。これにより、第２開口部１０Ｈの左端部に指を容易に差し込んで、４つ目のロールペーパーＰの左端面を右方向に押すことができるため、台座１３に新しいロールペーパーＰを容易に載置することができる。そして、錠前１０Ｌに差し込まれた鍵を錠前本体１０Ｑの円柱状の中心軸を中心に一方向に回動する。すると、錠前１０Ｌの止め金１０Ｒの溝１０Ｓがカバー部１０の左壁部１２の第１折返し部１２Ｆの係止部１２Ｊに係止する。こうして、このロールペーパーホルダー１にロールペーパーＰを収納することができる。つまり、このロールペーパーホルダー１は中心軸Ｃを横にした複数のロールペーパーＰを中心軸Ｃ方向に直列に収納している。また、カバー部１０は中心軸Ｃを横にして収納したロールペーパーＰの上下及び前方を覆っている。また、第１開口部１０Ｊは左右方向の幅が、ロールペーパーＰの中心軸Ｃ方向の幅より小さい（図４参照。）。また、台座１３は第１開口部１０Ｊの前後に設けられ、第１開口部１０Ｊに向けて下り傾斜する傾斜面を有し、ロールペーパーＰを載置する（図５、６参照。）。
【００３５】
次に、このロールペーパーホルダー１の台座１３に載置されたロールペーパーＰの糊付けされた端部を引出し口１０Ｇに合わせる方法を説明する。先ず、第１開口部１０Ｊの下側から上方向に指を差し込む。このとき、第１開口部１０Ｊの立上がり部１０Ｐの後面の基端が第１弧状壁１０Ｅの外周面と滑らかに連続している。このため、第１開口部１０Ｊに指を差し込み易い。また、立上がり部１０Ｐの先端が台座１３の第１台座部１３Ａの下面であって、第４開口部１３Ｇの半円部の前端に当接している。このため、台座１３の下面とカバー部１０の第１弧状壁１０Ｅの上面との間に誤って指を差し込むことを防止することができる。そして、指先をロールペーパーＰの外周面に当接させて、ロールペーパーＰを上方向に僅かに押し上げながら、第１開口部１０Ｊ内の後側から前側に向けて指を移動させる。これにより、ロールペーパーホルダー１内でロールペーパーＰを回転させることができる。このとき、ロールペーパーＰが台座１３に載置されているため、ロールペーパーホルダー１内でロールペーパーＰが無作為な位置にずれることを抑えることができる。そして、この動作を複数回繰り返すことによって、ロールペーパーＰの糊付けされた端部を引出し口１０Ｇに合わせることができる。つまり、カバー部１０はロールペーパーＰを引き出す引出し口１０Ｇ、及びロールペーパーＰの下方に開口する第１開口部１０Ｊが設けられている。
【００３６】
次に、このロールペーパーホルダー１の台座１３に載置されたロールペーパーＰの動作について説明する。図５、６に示すように、ロールペーパーＰは台座１３の第１台座部１３Ａ及び第２台座部１３Ｃのそれぞれに外周面が当接して台座１３に載置されている。先ず、ロールペーパーＰの外径が大きい場合、ロールペーパーＰは、図５に示すように、台座１３の第１台座部１３ＡのＡ点、及び第２台座部１３ＣのＢ点のそれぞれに外周面が当接して台座１３に載置されている。そして、ロールペーパーＰの消費が進み、ロールペーパーＰの外径が小さくなると、ロールペーパーＰは、図６に示すように、台座１３の第１台座部１３Ａの２Ａ点、及び第２台座部１３Ｃの２Ｂ点のそれぞれに外周面が当接して台座１３に載置されることになる。このとき、第１台座部１３Ａの２Ａ点、及び第２台座部１３Ｃの２Ｂ点のそれぞれの傾きは第１台座部１３ＡのＡ点、及び第２台座部１３ＣのＢ点のそれぞれの傾きに比べて大きくなる。つまり、外径の小さなロールペーパーＰは、外径が大きいロールペーパーＰに比べて急な傾きの第１台座部１３Ａ、及び第２台座部１３Ｃに挟まれることになる。これにより、外径の小さなロールペーパーＰは引出し口１０Ｇから端部を引き出す場合、端部を引き出す際の抵抗力が増えることになる。これにより、このロールペーパーホルダー１は外径の小さなロールペーパーＰであっても引出し口１０Ｇから所望の長さを引き出して、カッター１４で容易に切断することができる。また、このロールペーパーホルダー１は、台座部１３に載置されたロールペーパーＰの端部を引出し口から引き出す際、ロールペーパーＰがロールペーパーホルダー１内で無作為な位置にずれることを抑えることができる。
【００３７】
このように、このロールペーパーホルダー１は、カバー部１０のロールペーパーＰの下方に第１開口部１０Ｊが設けられている。これにより、このロールペーパーホルダー１は使用者がロールペーパーＰの糊付けされた端部を引出し口１０Ｇに合わせる際に、第１開口部１０ＪからロールペーパーＰの外周面に指を当接させて、ロールペーパーＰを持ち上げつつ回転させることができる。このため、このロールペーパーホルダー１は使用者が新しいロールペーパーＰを使う場合にロールペーパーＰの外周面と芯の内周面とを指で挟んで回転させる場合に比べて、ロールペーパーＰを容易に回転させて、糊付けされた端部を引出し口１０Ｇに合わせることができる。
【００３８】
したがって、本発明のロールペーパーホルダー１は使い勝手が良好である。
【００３９】
また、このロールペーパーホルダー１の第１開口部１０Ｊは、上方から見た平面視において、前後方向の中央部が、収納されたロールペーパーＰの中心軸Ｃより前側に位置している。このため、このロールペーパーホルダー１は収納されたロールペーパーＰの外周面に指を当ててロールペーパーＰを回転させる際、使用者側に指を近づけつつ、ロールペーパーＰを上方向に押し上げて回転させることができる。このため、このロールペーパーホルダー１は使用者がロールペーパーＰを容易に回転させることができる。
【００４０】
また、このロールペーパーホルダー１の第１開口部１０Ｊは、左右方向の幅が、ロールペーパーＰの中心軸Ｃ方向の幅より小さくしている。このため、このロールペーパーホルダー１は第１開口部１０ＪからロールペーパーＰが引き出されることを抑えることができる。
【００４１】
また、このロールペーパーホルダー１は、第１開口部１０Ｊの前後に設けられ、第１開口部１０Ｊに向けて下り傾斜する傾斜面を有し、ロールペーパーＰを載置する台座１３を備えている。このため、このロールペーパーホルダー１はロールペーパーＰを台座１３に載置することによって、ロールペーパーホルダー１内でのロールペーパーＰの位置を所定の位置に案内することができる。これにより、このロールペーパーホルダー１は収納されたロールペーパーＰの外周面に指を当ててロールペーパーＰを回転させる際、ロールペーパーＰがロールペーパーホルダー１内で無作為な位置にずれることを抑えることができるため、使い勝手が良好である。
【００４２】
また、このロールペーパーホルダー１は、引出し口１０Ｇの少なくとも左端又は右端のいずれかに連続して、引出し口１０Ｇから離れる方向に伸び、上下方向の幅が引出し口１０Ｇより小さい第２開口部１０Ｈを備え、中心軸Ｃを横にした複数のロールペーパーＰを中心軸Ｃ方向に直列に収納する。このため、このロールペーパーホルダー１は新しいロールペーパーＰを使用する際に、第２開口部１０Ｈから指を差し込み、第２開口部１０Ｈに位置する新しいロールペーパーＰに指をかけて新しいロールペーパーＰを引出し口１０Ｇに向けて容易に移動させることができる。また、このロールペーパーホルダー１は第２開口部１０Ｈから中の様子を目視することができるため、新しいロールペーパーＰがロールペーパーホルダー１内にあるかどうかを容易に把握することができる。また、このロールペーパーホルダー１は第２開口部１０Ｈの上下方向の幅が引出し口１０Ｇより小さいため、引出し口１０ＧからロールペーパーＰの端部を引き出すことを使用者に直感的に認識させることができる。
【００４３】
本発明は上記記述及び図面によって説明した実施例に限定されるものではなく、例えば次のような実施例も本発明の技術的範囲に含まれる。
（１）実施例１では、カバー部、右壁部、左壁部、台座、案内部、ストッパー及び、バックハンガーにステンレスを用いているが、これに限らず、腐食したり、破損したりするおそれがなければ他の材料を用いても良い。
（２）実施例１では、カッターに合成樹脂を用いているが、これに限らず、カッターに他の材料を用いても良い。
（３）実施例１では、第１開口部の前後方向の中央部がロールペーパーの中心軸より前側に位置しているが、これに限らず、第１開口部の前後方向の中央部がロールペーパーの中心軸の直下や後側であっても良い。
（４）実施例１では、台座の第１台座部、及び第２台座部のそれぞれが上方向に湾曲しているが、これに限らず、台座の第１台座部、及び第２台座部のそれぞれが平板状をなし、第１開口部に向けて下り傾斜しても良い。
（５）実施例１では、ロールペーパーを４つ収納しているが、これに限らず、ロールペーパーを３つ以下収納しても良く、５つ以上収納しても良い。
（６）実施例１の構成を左右対称に入れ替えて配置した構成でも良い。
（７）実施例１では、第２開口部の上下方向の寸法が引出し口の上下方向の寸法より小さいが、これに限らず、第２開口部の上下方向の寸法が引出し口の上下方向の寸法と同じあっても良い。
（８）実施例１では、第２開口部は上端が引出し口の上端と一直線状に連続しており、下端が引出し口の下端に傾斜部を介して連続しているが、これに限らず、第２開口部の下端が引出し口の下端と一直線状に連続しており、上端が引出し口の上端に傾斜部を介して連続しても良い。また、第２開口部の下端及び上端のそれぞれが引出し口の下端及び上端のそれぞれに傾斜部を介して連続しても良い。この場合、第２開口部の上下方向の位置は、引出し口の上下方向の位置に対して上側でも下側でも良い。また、第２開口部の上端が引出し口の上端より下側で、第２開口部の下端が引出し口の下端より上側でも良い。
【符号の説明】
【００４４】
１０…カバー部
１０Ｇ…引出し口
１０Ｈ…第２開口部
１０Ｊ…第１開口部
１３…台座
Ｃ…中心軸
Ｐ…ロールペーパー
【図１】
2018038573.tif 000003
【図２】
2018038573.tif 000004
【図３】
2018038573.tif 000005
【図４】
2018038573.tif 000006
【図５】
2018038573.tif 000007
【図６】
2018038573.tif 000008